(57)【要約】　　　（修正有）【課題】ひげそり接線角度を一定に保持し、スムーズで安定したひげそりを可能とするかみそりアセンブリを提供する。【解決手段】刃先前方に回転可能なローラ７を備えたかみそりアセンブリ１において、キャップ部材の皮膚に接触する表面とローラ周面の皮膚に接触する上面部を結ぶ想像線によりひげそり接線Ｘを形成する一方、ローラと刃先との間に可撓性のガード部材１０を配設し、可撓性のガード部材の皮膚と接触する表面を少なくとも一部がひげそり接線Ｘに一致させる。【選択図】　図４
2004000388.tif 000002
【特許請求の範囲】
【請求項１】
刃先前方に回転可能なローラを備えたかみそりアセンブリにおいて、キャップ部材の皮膚に接触する表面とローラ周面の皮膚に接触する上面部を結ぶ想像線によりひげそり接線Ｘを形成する一方、ローラと刃先との間に可撓性のガード部材を配設し、可撓性のガード部材の皮膚と接触する表面は少なくとも一部がひげそり接線Ｘに一致するかみそりアセンブリ。
【請求項２】
刃先前方に回転可能なローラを備えたかみそりアセンブリにおいて、キャップ部材の皮膚に接触する表面とローラ周面の皮膚に接触する上面部を結ぶ想像線によりひげそり接線Ｘを形成する一方、ローラと刃先との間に可撓性のガード部材を配設し、可撓性のガード部材の皮膚と接触する表面は少なくとも一部がひげそり接線Ｘより上方に突出しているかみそりアセンブリ。
【請求項３】
ローラは周面に複数の孔および／または凹部を形成し、ローラ周面と接触する皮膚を適宜に押圧する一方、ローラ周面と非接触の孔内および／または凹部内の皮膚に内周縁からテンションを与えるようにした請求項１または２に記載のかみそりアセンブリ。
【請求項４】
ローラの回転により、ローラ周面と非接触の孔内および／または凹部内の皮膚に内周縁からテンションを連続して与えるようにした請求項１または２に記載のかみそりアセンブリ。
【請求項５】
ローラとガード部材を並設し、可撓性のガード部材は対向するローラ周面の上端部に近接するようにローラ周面に沿って延びる張出部を有する請求項３または４に記載のかみそりアセンブリ。
【発明の詳細な説明】
【０００１】
【発明の属する技術分野】
本発明はかみそり、特に回転可能なローラを備えたかみそりアセンブリの改良にかんする。
【０００２】
【従来の技術】
刃先前方に回転可能なローラを備え、刃先の直前で皮膚を押圧するとともに皮膚にテンションを与えてヒゲをたたせ、刃先の切断効果を高めるように構成したかみそりが知られている。また刃先とローラの中間にブラシ部材からなるガード部材を設け、刃先に当たる前にヒゲを立たせるようにしたかみそりがある（特表２０００−５１４６８１参照）。特に最近の高級なかみそりにはガード部材の表面に上方に伸びる可塑性樹脂（好ましくはエラストマ樹脂）のリブ状の突起を設けたものが採用されている。この場合、熱可塑性エラストマ材料から作られたリブ状の突起は可撓性であり、使用中に皮膚と接触して適宜に変形するからひげそり中の感触がよくなるという効果もある（第２８９５２３２号特許公報参照）。
【０００３】
かみそりの優劣あるいは個人的な好みには「切れ」、つまり、切れる／切れないなどや、「切れ味」、つまり、ソフトな切れ／かたい切れ／スカットした切れ、など人間の感覚で感じるもの、などがある。一方、保護部材の皮膚と接触する表面とキャップ部材の皮膚と接触する表面を結ぶ想像線をひげそり接線というが、ひげそり接線はひげそり時における皮膚に対応するものである。かみそりの特性を決定する要因は種々あるが、ひげそり接線と刃先との間の長さ、つまり刃先の突出幅の設定はかみそり特性と安全性に関係し、刃先がひげそり接線に近づくほど、あるいはひげそり接線を越えて露出するほど皮膚を切りやすい反面、ひげは根元から切りやすい。また刃体に平行な線とひげそり接線とのなす角度がひげそり接線角度であるが、ひげそり接線角度の設定もかみそりの特性に大きな影響を及ぼす。ひげそり接線角度を常に一定に設定することが所定のみそり特性を確保し、安全性を保持する上で重要である。
【０００４】
ひげそり時、ガード部材（可撓性のリブ状の突起など）は皮膚に接触しながら移動するため、突起が寝るなど部分的に不規則な変形をすることがあるが、このことはひげそり接線の角度がわずかであるが一時的に変化することを意味する。またローラをばねやワイヤ部材の回りに配置し、ひげそり時にローラが皮膚の輪郭に対応させることもできるが（特表平１２−５１４６８１参照）、このような構成の場合も、同様に、ひげそり接線角度に一時的な変化を生じさせることがある。
【０００５】
【発明が解決しようとする課題】
本発明はひげそり接線角度を一定に保持し、スムーズで安定したひげそりを可能とするかみそりアセンブリを提供しようとするものである。
【０００６】
【課題を解決するための手段】
上記課題を解決するために本発明の採用する手段は、刃先前方に回転可能なローラを備えたかみそりアセンブリにおいて、キャップ部材の皮膚に接触する表面（以下、「キャップ材の表面」という）とローラ周面の皮膚に接触する上面部（以下、「ローラの上面部」という）を結ぶ想像線によりひげそり接線Ｘを形成する一方、ローラと刃先との間に可撓性のガード部材を配設し、可撓性のガード部材の皮膚と接触する表面は少なくとも一部がひげそり接線Ｘと一致するようにした。ガード部材の皮膚と接触する表面（以下、「ガード部材の表面」という）は少なくとも一部がひげそり接線Ｘに一致し、ひげそり時にガード部材の表面は皮膚と接触する。これによりリブ状の突起からガード部材を構成するなど、ガード部材の具体的態様が種々に変わっても、ガード部材の表面は常に皮膚と接触することができる。またキャップ材の表面とローラ周面の上面部はその位置が定まっているから、キャップ材の表面とローラ周面の上面部により規制されるひげそり接線Ｘも常に一定している。そこでひげそり時に可撓性のガード部材は表面が常に皮膚と接触している一方、ひげそり接線Ｘの位置に変化はなく、ひげそり中の感触がよく、また所定のかみそり特性と安全性が確保される。
【０００７】
また刃先前方に回転可能なローラを備えたかみそりアセンブリにおいて、キャップ部材の皮膚に接触する表面とローラ周面の皮膚に接触する上面部を結ぶ想像線によりひげそり接線Ｘを形成する一方、ローラと刃先との間に可撓性のガード部材を配設し、可撓性のガード部材の皮膚と接触する表面は少なくとも一部がひげそり接線Ｘより上方に突出している。ガード部材の表面はひげそり接線Ｘより上方に突出し、ガード部材の表面と皮膚面との摩擦力が相対的に大きくなるから、可撓性のガード部材は変形しやすく、またその変形も複雑となる。これにより皮膚との接触が効率的となりひげそり時の感触はよくなる一方、前記の場合と同様に、ひげそり接線Ｘの位置は一定で変化はなく、所定のかみそり特性と安全性が確保される。また摩擦力が大きくなっても、ローラの回転が移動を促進するから、かみそりアセンブリの直進が阻害されることはない。ひげそり接線Ｘからの突出幅はガード部材の大きさ、形状、素材（可撓性素材）の種類、具体的な構成などにより適宜に選択される。理論的にはキャップ材の表面とローラ周面の上端部との位置関係により決定されるひげそり接線Ｘがひげそり時においてガード部材の突出幅によって変動を生じない範囲内ということになるが、通常は２ｍｍ以内が好ましい。
【０００８】
ローラ周面に複数の孔のない場合でも、皮膚との接触によりローラ周面が皮膚を押圧してテンションを与える（したがってヒゲをたたせる）などの効果があるが、直接接触による押圧であるからその効果はかならずしも顕著といえない。ここではローラは周面に複数の孔および／または凹部を形成し、ローラ周面と接触する皮膚を適宜に押圧する一方、ローラ周面と非接触の孔内および／または凹部内の皮膚には内周縁からテンションを与えるようにした。またローラの回転により、ローラ周面と非接触の孔内および／または凹部内の皮膚には内周縁からテンションを連続して与えるようにすることもできる。ローラ周面と非接触の皮膚には内周縁から相対的に大きなテンションが加わり、孔内および／または凹部内に向け部分的に膨出し、テンションの効果的な付与とともにヒゲをたたせるなどの機能が向上する。また皮膚の一部が孔内および／または凹部内へ部分的に膨出したときはひげそり中の皮膚の輪郭に対するかみそりの対応度にもプラスに作用する。このような孔の存在は摩擦力を増大させるが、ローラの回転により、かみそりアセンブリの移動に対する障害とならないのみならず、その直進を促進する効果もある。
【０００９】
またローラとガード部材を並設し、可撓性のガード部材は対向するローラ周面の上端部へ近接するようにローラ周面に沿って延びる張出部を有する。張出部を設けることにより、ローラ、特に孔内および／または凹部内でテンションを与えられた皮膚（通常はヒゲを含む）が可撓性のガード部材へ連続的に送られ、ガード部材との接触を容易にし、また効果的な接触が可能となる。
【００１０】
【発明の実施の形態】
本発明の実施の形態を図面を参照して説明する。かみそりアセンブリ１はキャップ部材２、刃台部３、刃体５を備え、刃台部３の上に刃体５を載置し、刃体５は刃台部３とキャップ部材２に挟着されている。図示の場合、刃体５は３枚であるが１枚以上であればよく、また刃体５が複数の場合は刃体５と刃体５との間にはスペーサ６が配置される。かみそりアセンブリ１は刃先９の前方に回転可能なローラ７を備え、図示の場合、ローラ７はキャップ部材２の表面側の前部に配設されている。
【００１１】
刃先９とローラ７との間にはガード部材１０が配設されており、ガード部材１０は少なくとも皮膚に接する表面に上方へ伸びるリブ状の突起１１を有する。可塑性樹脂（好ましくはエラストマ樹脂）などで作られたガード部材１０は可撓性であり、ひげそり時に皮膚と接触して適宜に変形する。ひげそり時にはキャップ部材２の皮膚に接触する表面２ａ（「キャップ部材の表面」）とローラ７周面の皮膚に接触する上面部１２（「ローラ周面の上面部」）を結ぶ想像線によりひげそり接線Ｘが形成されている（図４参照）。この場合、ローラ７と刃先９との間に配設されたガード部材１０の皮膚と接触する表面少なくとも一部がひげそり接線Ｘに一致している。例えば、リブ状の突起１１の表面はほぼ全体がひげそり接線Ｘに一致している（図５参照）。また他の例では、可撓性のガード部材１０の皮膚と接触する表面は少なくとも一部がひげそり接線Ｘより上方に突出している。例えば、リブ状の突起１１の表面の全体がひげそり接線Ｘより上方に突出している（図６参照）。いずれの場合もひげそり時にガード部材１０の表面が皮膚と接触し、特に後者の場合、皮膚との接触が容易で確実となる。
【００１２】
ローラ７は内部に中空部１３を有し、ローラ７周面には中空部１３へと貫通する複数の孔１５が形成されている。ローラ７は、例えば、厚さは０．２ｍｍ程度の金属（ステンレスなど）製の薄板に複数の孔をプレス抜きし、全体を丸めて上・下縁を接合した内径が約２ｍｍの円筒形であり、孔１５ａはローラ７周面のほぼ全体に均一に散在している。他のローラ７は中空部を有しない構造であり、ローラ７周面に孔に替わる凹部１５ｂが形成され、凹部１５ｂがローラ７周面のほぼ全体に均一に散在している。なおローラ７の長さ、太さ、材質、構造などに限定はなく、また孔や凹部の形状、大きさなども任意に選択できる。またローラ周面に孔や凹部がないものでもよい（なおローラは孔、凹部のいずれを採用した場合もかみそりアセンブリの平面図、正面図は同じに表れる）。回転自在のローラ７はキャップ部材２の前端に形成された長手方向の切欠部に配置され、ローラ７の両端部はキャップ部材の両側部１６の内側に凹陥した軸受部１７に回転自在に保持されている。
【００１３】
ひげそり時にローラ７周面は皮膚に接触して適宜に皮膚を押圧するが、ローラ周面の孔１５ａおよび／または凹部１５ｂは皮膚と接触しない。この場合、孔１５ａおよび／または凹部１５ｂに対応する皮膚部分１９（つまり通常はひげを含む皮膚の１部分であってローラと非接触の部分−ただし図中にひげは表示されていない）は、ローラ７周面と接触する周囲の皮膚１７が適宜に押圧される結果、孔１５ａ内および／または凹部１５ｂ内にわずかに膨出するか、あるいは膨出するように内周縁２０からテンションが加わる（図９、１０参照−ただし説明の都合上、皮膚の膨出状態は誇張し説明的に図示してある）。すなわち孔１５ａおよび／または凹部１５ｂに対応する皮膚部分１９に相対的に大きなテンションが加わり、テンションを効果的に付与することができる。複数の孔１５ａおよび／または凹部１５ｂがローラ７周面にのほぼ全体に均一に散在するときは、全体として平均にテンションを与えることができる。またローラー７周面に加わる力も均一化され、かみそりアセンブリのスムーズな直進が阻害されない。またローラ７の回転により、ローラ７周面と非接触の孔内および／または凹部内の皮膚部分１９にテンションを連続して与えることもできる。
【００１４】
刃先９の前方にはローラ７とガード部材１０が対向して並設されている。ガード部材１０は表面に上方に伸びる可塑性樹脂（好ましくはエラストマ樹脂）のリブ状の突起１１を有する。リブ状の突起１１の形状、数、大きさ、構造に限定はなく、またリブ状の突起の存在しないものでもよい（図示せず）。熱可塑性エラストマ材料などから作られたリブ状の突起１１は可撓性であり、ひげそり時に皮膚と接触して適宜に変形する。ガード部材１０は支持部２１の受け部に固定される一方、ローラ周面の上面部１２に近接するようにローラ周面に沿って延びる張出部２３を有する。図示の場合、ガード部材１０はリブ状の突起１１から構成され、リブ状の突起１１が張出部２３を備える。なお張出部２３と上面部１２との近接度は適宜に調整でき、図５、６に示されるものよりさらに張出部２３を上面部１２に近接してもよい。ローラ７の回転によりローラ周面に接触した皮膚は張出部２３の存在により引き続きガード部材１０と連続的に接触し、ガード部材１０との接触が容易かつスムーズにおこなわれる。ローラ７周面に孔１５ａや凹部１５ｂを形成した場合、前記のように、テンションが皮膚に効果的に与えられ、このようなテンションを付与された皮膚がその直後にガード部材１０と接触することになり、ガード部材１０部材の機能がより効果的に発揮される。ガード部材１０あるいは張出部２３とローラ７周面との間隔は一定（ほぼ一定である場合を含む）でかつ短いほどよく、通常は２ｍｍ以下の間隔に設定するのが好ましい。以上は、前方からローラ７、ガード部材１０、刃先９の順序で配置されている例を説明したが、ローラがガード部材の後方でかつ刃先の前方に配置されたものにも適用される（図示せず）。
【００１５】
なお線状のガード部であるワイヤ２９は刃先９を部分的に被覆し、スムーサ３０がキャップ部材２の表面側に配置されているが、かみそりアセンブリ１の具体的な構成に特に限定はない。みそりアセンブリは柄部（図示せず）の先端部に取り替え自在に取着されるが柄部に固定したものでもよく、また理容用、美容用など用途を問わない。
【００１６】
【発明の効果】
本発明にかかるかみそりアセンブリによればひげそり時にひげそり接線角度を常に一定に保つことができ、スムーズで安定したひげそりが可能となる。
【図面の簡単な説明】
【図１】本発明にかかるかみそりアセンブリの平面図である。
【図２】同かみそりアセンブリの正面図である。
【図３】同かみそりアセンブリの底面図である。
【図４】中空部を有するローラを備えたかみそりアセンブリのＡ−Ａ線の拡大断面図である。
【図５】かみそりアセンブリの部分的な拡大図である（ガード部材の表面がひげそり接線Ｘ−Ｘと一致しているもの）。
【図６】かみそりアセンブリの他の部分的な拡大図である（ガード部材の表面がひげそり接線Ｘ−Ｘより上方に突出するもの）。
【図７】中空部を有するローラの拡大断面図である。
【図８】周面に凹部を有する他のローラの拡大断面図である。
【図９】ローラ周面の孔と皮膚との接触関係を示す説明図である。
【図１０】ローラ周面の凹部と皮膚との接触関係を示す説明図である。
【符号の説明】
１　　かみそりアセンブリ
２　　キャップ部材
３　　刃台部
５　　刃体
６　　スペーサー
７　　ローラ
９　　刃先
１０　ガード部材
１１　リブ状の突起
１２　ローラ周面の上面部
１３　中空部
１５ａ　孔
１５ｂ　凹部
１６　キャップ部材の両側部
１７　軸受部
１９　皮膚部分
２０　内周縁
２１　支持部
２３　張出部
２９　ワイヤ
３０　スムーサ
【図１】
2004000388.tif 000003
【図２】
2004000388.tif 000004
【図３】
2004000388.tif 000005
【図４】
2004000388.tif 000006
【図５】
2004000388.tif 000007
【図６】
2004000388.tif 000008
【図７】
2004000388.tif 000009
【図８】
2004000388.tif 000010
【図９】
2004000388.tif 000011
【図１０】
2004000388.tif 000012